【事件の表示】
　特許第２９５６１２５号「音源情報制御装置」の請求項１ないし２に係る特許に対する特許異議の申立てについて、次のとおり決定する。
【結　論】
　訂正を認める。
　特許第２９５６１２５号の請求項１ないし２に係る特許を維持する。
【理　由】
１．手続の経緯
　特許第２９５６１２５号の請求項１、２に係る発明についての出願は、平成２年５月９日に特許出願され、平成１１年７月２３日にその発明について特許の設定登録がされ、その後、その特許について、異議申立人渋谷幸一により特許異議の申立てがなされ、取り消し理由通知がなされ、その指定期間内である平成１２年９月１９日に訂正請求なされたものである。
　
２．訂正の適否についての判断
(1) 訂正の内容
　特許権者が求めている訂正の内容は以下のａ、ｂのとおりである。
　ア．訂正事項ａ
　　特許請求の範囲の請求項１ないし２を
　「【請求項１】　
表示部（８）に表示されるカーソルを移動させるポインティングデバイス
　
上記ポインティングデバイス
音源まわりの環境を選択した後、上記カーソルの移動により、音源まわりの環境の音響特性を任意に調整すると共に、
選択、移動し
　上記演算処理手段（７，１０）は、
モデル化された上記音源まわりの環境
上記
上記
上記
上記カーソルにより任意に調整された上記音源まわりの環境の音響特性、上記カーソルにより選択、移動された上記
　
上記
　
上記
　【請求項２】　
上記ポインティングデバイス
　
上記
上記
上記
上記
　なお、下線部分が訂正個所である。
　イ．訂正事項ｂ
　　発明の詳細な説明の［課題を解決するための手段］の記載を、
「
表示部（８）に表示されるカーソルを移動させるポインティングデバイス
　
上記ポインティングデバイス
音源まわりの環境を選択した後、上記カーソルの移動により、音源まわりの環境の音響特性を任意に調整すると共に、
選択、移動し
　上記演算処理手段（７，１０）は、
モデル化された上記音源まわりの環境
上記
上記
上記
上記カーソルにより任意に調整された上記音源まわりの環境の音響特性、上記カーソルにより選択、移動された上記
　
上記
　
上記
　なお、下線部分が訂正個所である。
(2) 訂正の目的の適否、新規事項の有無、及び特許請求の範囲の拡張・変更の存否
　上記訂正事項ａ、ｂについて詳細に検討する。
　a)請求項１について、「入力手段」を「表示部（８）に表示されるカーソルを移動させるポインテイングデバイス」に限定する訂正は、願書に添付された明細書（以下「特許明細書」という。）６頁１７行ないし１９行の記載に基づいて特許請求の範囲の減縮を行うものである。
　b)請求項１について、「入力手段（９）は、チャネル毎の音源位置、聴取者位置の指定が可能であり」を「上記ポインティングデバイス（９）は、音源まわりの環境を選択した後、上記カーソルの移動により、音源まわりの環境の音響特性を任意に調整すると共に、チャネル毎の音源位置、聴取者位置を選択、移動し」に限定する訂正は、特許明細書６頁１９行ないし７頁３行、８頁１行ないし１５行の記載に基づいて特許請求の範囲の減縮を行うものである。
　c)請求項１について、「演算処理手段（７，１０）は、音場情報、チャネル毎の音源位置に基づくアイコン、聴取者位置に基づくマークを表示部（８）に表示すると共に、音場情報、チャネル毎の音源位置、聴取者位置に基づいて、チャネル毎の音響制御信号を生成し」を「上記演算処理手段（７，１０）は、モデル化された上記音源まわりの環境、上記チャネル毎の音源位置に基づきアイコン、上記聴取者位置に基づくマークを上記表示部（８）に表示すると共に、上記カーソルにより任意に調整された上記音源まわりの環境の音響特性、上記カーソルにより選択、移動された上記チャネル毎の音源位置、上記聴取者位置に基づいて、チャネル毎の音響制御信号を生成し」に限定する訂正は、特許明細書５頁１７行ないし６頁１行、６頁５行ないし７行、６頁１９行ないし７頁３行、７頁８行ないし１２行、８頁１行ないし４行、８頁１５行ないし９頁４行の記載に基づいて特許請求の範囲の減縮を行うものである。
　d)請求項１について、「音源再生手段」、「音響調整手段」を「上記音源再生手段」、「上記音響調整手段」に限定する訂正は、特許請求の範囲の減縮を行うものである。
　e)請求項２について、「入力手段」を「上記ポインテイングデバイス」に限定する訂正は、特許明細書６頁１７行ないし１９行の記載に基づいて特許請求の範囲の減縮を行うものである。
　f)請求項２について、「演算処理手段」、「表示部」、「シンボル」、「音源再生手段」を「上記演算処理手段」、「上記表示部」、「上記シンボル」、「上記音源再生手段」に限定する訂正は、特許請求の範囲の減縮を行うものである。
　g)したがって、上記訂正事項ａは、特許請求の範囲の減縮を目的とした明細書の訂正に該当し、また、上記訂正事項ｂは、上記訂正事項ａと整合を図るものであるから、明りょうでない記載の釈明を目的とした明細書の訂正に該当し、新規事項の追加に該当せず、また、実質上特許請求の範囲を拡張し、又は変更するものでもない。
(3) むすび
　以上のとおりであるから、上記訂正は、平成１１改正前の特許法第１２０条の４第３項において準用する平成６年改正法による改正前の特許法第１２６条第１項のただし書き、第２項及び第３項の規定に適合するので、当該訂正を認める。
　
３．特許異議の申立てについて
(1) 申立ての理由の概要
　特許異議申立人渋谷幸一は、特許第２９５６１２５号の請求項１ないし２に係る発明は、甲第１号証（特開昭６１−２５７０９９号公報）、甲第２号証（特開昭６３−１６１５８３号公報）、甲第３号証（特開平２−６７５９８公報）をもとに容易に発明することができたものであり、特許法第２９条第２項の規定により、特許を受けることができないものであるから、特許を取り消されるべきと主張している。
(2) 本件発明
　特許第２９５６１２５号の請求項１、２に係る発明は、平成１２年９月１９日付けの訂正明細書の特許請求の範囲の請求項１、２に記載された事項により特定される次のとおりのもの（以下それぞれ「本件発明１」、「本件発明２」という。）である。
　　【請求項１】　表示部（８）に表示されるカーソルを移動させるポインテイングデバイス（９）、演算処理手段（７，１０）、音源再生手段（２）、音響調整手段（３，４）を備える音源情報制御装置であって、
　上記ポインティングデバイス（９）は、音源まわりの環境を選択した後、上記カーソルの移動により、音源まわりの環境の音響特性を任意に調整すると共に、チャネル毎の音源位置、聴取者位置を選択、移動し、
　上記演算処理手段（７，１０）は、モデル化された上記音源まわりの環境、上記チャネル毎の音源位置に基づくアイコン、上記聴取者位置に基づくマークを上記表示部（８）に表示すると共に、上記カーソルにより任意に調整された上記音源まわりの環境の音響特性、上記カーソルにより選択、移動された上記チャネル毎の音源位置、上記聴取者位置に基づいて、チャネル毎の音響制御信号を生成し、
　上記音源再生手段（２）は、複数チャネルの音響信号を再生し、
　上記音響調整手段（３，４）は、各チャネルの音響制御信号に基づいて当該チャネル毎の音響信号を調整し出力する
　ことを特徴とする音源情報制御装置。
　　【請求項２】　上記ポインティングデバイス（９）は、シンボルの選択が可能であり、
　上記演算処理手段（７，１０）は、シンボルを上記表示部（８）に表示すると共に、上記シンボルの選択に従って、上記音源再生手段（２）の再生を制御する
　ことを特徴とする請求項１に記載の音源情報制御装置。
(3) 引用刊行物 
　当審が通知した取消理由通知で引用した刊行物には、それぞれ、以下のような発明が記載されている。
　ア．刊行物１：特開昭６１−２５７０９９号公報（甲第１号証）
　　刊行物１には、仮想音場内に音源位置と聴取者位置を設定して反射経路を算出し、対応する反射音のパラメータを作成してプロセッサに設定し、音響信号を該プロセッサで畳み込み演算して反射音を生成し、該反射音をスピーカから再生することにより、該仮想音場での演奏を再現することが記載されている。聴取者位置を任意に指定することについても記載されている。
　イ．刊行物２：特開昭６３−１６１５８３号公報（甲第２号証）
　　刊行物２には、表示装置に仮想音場、音源位置およびユーザによって任意に指定された聴取者位置をグラフィック表示し、これらのデータに基づいて反射音経路を算出し、対応する反射音のパラメータを作成し、該反射音のパラメータに基づき音響信号の反射音を生成し、該反射音をスピーカから再生することにより、該仮想音場での演奏を再現することが記載されている。
　ウ．刊行物３：特開平２−６７５９８公報（甲第３号証）
　　刊行物３には、表示パネルに仮想音場およびユーザによって任意に指定された各楽器ごとの音源位置をグラフィック表示し、これらのデータに基づいて各音源位置ごとの音響制御信号を生成し、各楽器の音響信号に各対応する音響制御信号を掛けてスピーカから再生することにより、該仮想音場での各楽器の演奏を、各楽器ごとの位置を含めて再現することが記載されている。
(4) 対比・判断
　本件発明１と上記刊行物１ないし３に記載のものと対比すると、各刊行物に記載のものは、本件発明１を特定する事項である、「音源まわりの環境を選択した後、カーソルの移動により、音源まわりの環境の音響特性を任意に調整すると共に、チャネル毎の音源位置、聴取者位置を選択、移動するところの、表示部に表示されるカーソルを移動させるポインテイングデバイス」を備えておらず、示唆する記載もない。当該事項により、音源まわりの環境を選択した後、カーソルの移動により、音源まわりの環境の音響特性を任意に調整することができるという顕著な効果を奏するものであり、本件発明１が上記各刊行物に記載のものから容易に発明できたものとはいえない。
　本件発明２は、本件発明１を引用しているので、本件発明１と同様な理由により上記各刊行物に記載のものから容易に発明できたものとはいえない。
(5) むすび
　以上のとおりであるから、特許異議申立ての理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１２年９月２７日（２０００．９．２７）
【訂正の要旨】
訂正の要旨
　１）特許請求の範囲の減縮を目的として、本件の請求項１ないし２の記載を、「【請求項１】　
表示部（８）に表示されるカーソルを移動させるポインティングデバイス
　
上記ポインティングデバイス
音源まわりの環境を選択した後、上記カーソルの移動により、音源まわりの環境の音響特性を任意に調整すると共に、
選択、移動し
　
上記
モデル化された上記音源まわりの環境
上記
上記
上記
上記カーソルにより任意に調整された上記音源まわりの環境の音響特性、上記カーソルにより選択、移動された上記
　
上記
　
上記
　【請求項２】　
上記ポインティングデバイス
　
上記
上記
上記
上記
　２）明瞭でない記載の釈明を目的として、特許公報第３欄第４３行〜同第４欄第８行の［課題を解決するための手段］中の記載を、「
表示部（８）に表示されるカーソルを移動させるポインティングデバイス
　
上記ポインティングデバイス
音源まわりの環境を選択した後、上記カーソルの移動により、音源まわりの環境の音響特性を任意に調整すると共に、
選択、移動し
　
上記
モデル化された上記音源まわりの環境
上記
上記
上記
上記カーソルにより任意に調整された上記音源まわりの環境の音響特性、上記カーソルにより選択、移動された上記
　
上記
　
上記
（５４）【発明の名称】
音源情報制御装置
（５７）【特許請求の範囲】
　【請求項１】　
表示部（８）に表示されるカーソルを移動させるポインティングデバイス
　
上記ポインティングデバイス
音源まわりの環境を選択した後、上記カーソルの移動により、音源まわりの環境の音響特性を任意に調整すると共に、
選択、移動し
　
上記
モデル化された上記音源まわりの環境
上記
上記
上記
上記カーソルにより任意に調整された上記音源まわりの環境の音響特性、上記カーソルにより選択、移動された上記
　
上記
　
上記
　ことを特徴とする音源情報制御装置。
　【請求項２】　
上記ポインティングデバイス
　
上記
上記
上記
上記
　ことを特徴とする請求項１に記載の音源情報制御装置。
【発明の詳細な説明】
　［産業上の利用分野］
　本発明は、音源を再生する際などに、仮想的に音源をとりまく環境を設定して音源情報を制御し、任意の音のミキシングや音場を得る音源情報制御装置に関するものである。
　［発明の概要］
　本発明は、音源の再生等に使用される音源情報制御装置において、
　画面上で聴取者の位置情報や音源の位置情報および音場情報を設定できるようにし、それらの情報に従って音源からの音を調整して、聴取者の耳にあたかも設定された音場の位置でその音が聞こえるようにすることにより、
　任意の仮想的な音場作りや音作りを聴取者が容易に行えるようにしたものである。
　［従来の技術］
　従来の音響メディアにおいては、作り手によって音作りが決定されており、一般のリスナー（聴取者）が調整できるのは、せいぜい音量やトーンコントロールであった。しかし、近年、デジタル技術による音の生成、加工、記憶や伝送デバイス等の高帯域化によって、一般のリスナーの手もとでも、多様な音作りができるようになって来ている。例えば、多彩な音の加工をするＤＳＰ（デジタルシグナルプロセッサ）を用いたコントロールアンプは、リスナーの好みで様々な音響ホールで聴く音響特性をシミュレートすることができる。また、マルチチャネルの音源（ソース）を用いて、ユーザーがミキシングコンソールを駆使し音作りをすることも可能な環境にある。
　［発明が解決しようとする課題］
　しかしながら、上記従来の技術におけるリスナー側での音作りの手段では、以下のような問題点があった。
（１）ＤＳＰを用いたコントロールアンプによる音作りでは、変化させるべき多種のパラメータを数値によって指定しなければならず、とても一般のリスナーが気楽に使えるものではなかった。従って、パラメータの組み合わせを最初から限定していくつか用意しておき、その中からリスナーに指定させるなどの方法を探らざるを得ない。
（２）ミキシングコンソールによる音作りでは、所定の音作りをする場合に音源とボリュームの対応がつきにくく、また、装置が大きく、家庭で使うにはスペースを取り過ぎることなどが問題点となっていた。
　本発明は、上記問題点を解決するために創案されたもので、任意の仮想的な音場作りや音作りを聴取者が容易に行えるようにする音源情報制御装置を提供することを目的とする。
　［課題を解決するための手段］
　上記の目的を達成するための本発明の音源情報制御装置の構成は、
　
表示部（８）に表示されるカーソルを移動させるポインティングデバイス
　
上記ポインティングデバイス
音源まわりの環境を選択した後、上記カーソルの移動により、音源まわりの環境の音響特性を任意に調整すると共に、
選択、移動し
　
上記
モデル化された上記音源まわりの環境
上記
上記
上記
上記カーソルにより任意に調整された上記音源まわりの環境の音響特性、上記カーソルにより選択、移動された上記
　
上記
　
上記
　［作用］
　本発明は、聴取者の位置情報や音源の位置情報および音場情報に従って音源からの音を調整し、聴取者の耳にあたかもその音場の位置でその音が聞こえるようにするとともに、その聴取者の位置情報や音源の位置情報および音場情報を聴取者が画面上の操作で設定できるようにすることにより、任意の音作りや音場作りを容易に行えるようにする。
　　［実施例］
　以下、本発明の実施例を図面に基づいて詳細に説明する。
　第１図は本発明の一実施例を示すブロック図である。本実施例は、オーディオ再生系とその制御系から成る。オーディオ再生系の構成において、１はマルチチャネルの音源、２は音源１の再生を行う音源再生装置、３は再生されたマルチチャネル音信号の各チャネル毎に指定の音響特性で調整するＤＳＰ（デジタルシグナルプロセッサ）、４はチャネル数変換を行うミキシング装置、５は変換されたチャネル（例えば左、右チャネル）ごとに音響信号の増幅を行うアンプ、６はアンプの出力を接続したヘッドホンである。また、制御系の構成において、７はリスナーの位置情報やそのリスナーをとりまく音響環境情報すなわち音場情報を作成しそれらに従ってＤＳＰ３やミキシング装置４の制御信号を作成する演算処理装置、８はリスナーの位置情報や音場情報を画面に表示するディスプレイ装置、９はリスナーの位置情報や音場情報の作成をユーザーが画面上で操作するためのポインティングデバイス、１０は制御信号を作成するための音響特性データなどを格納するメモリである。ポインティングデバイス９としては、マウスなどが使用される。
　第２図は、ディスプレイ装置８の表示画面の構成例を示す図である。この表示例では、仮想的なコンサートホールを立面図で示している。８１は仮想的なリスナーの位置（リスニングポジション）を示し、８２は舞台位置を、８３は舞台上の音源の位置を、８４は天井を、８５は反響板を、８６は壁をそれぞれ示している。８７は操作用のカーソルであり、８８は音源再生を操作するための表示ブロックである。カーソル８７はポインティングデバイス９から入力される変量で必要な箇所に移動される。このカーソル８７の移動により、リスナー位置８１を選択して移動させたり、壁８６や天井８４、反響板８５を選択して移動させ仮想的にホールの大きさを変更したり、反響板８５を増減・移動したりする。また、音源の位置８３は、始めに収録時等の楽器の種類と配置情報を音源１より受け取り、わかりやすく各楽器をアイコンによって表示する。これらの楽器の配置も、カーソル８１による選択と移動によって自由に変化させることができる。これらの操作による仮想的なリスナーの位置８１とそのリスナーをとりまく仮想的な音場情報に基づいて、演算処理装置７は、ＤＳＰ３に対するパラメータを変化させて制御信号を作成する。一方、演算処理装置７は、音源再生装置２に対しては、カーソル８７で選択された表示ブロック８８のシンボル表示に基づいて、スタート／ストップ等の再生コントロール信号を送出する。また、ミキシング装置４に対しては、チャネル変換の際の各マルチチャネル音信号の混合量を指定する。
　以上のように構成した実施例の動作および作用を述べる。
　まず、動作を開始すると、演算処理装置７は、モデル化された大ホール、小ホール、ライブハウス、レコーディングスタジオなど音源のまわりの環境を表示する。さらに、その中に音源１より送出される各チャネルの楽器の種別情報と収録時の配置情報を得て、各楽器の配置をアイコン表示する。上記モデル化された音響ホール等や楽器の種別とアイコンの対応等はメモリ１０に格納しておく。次にユーザーは、ポインティングデバイス９でカーソル８７を動かし、例えばウインドウ表示されている項目の選択により調整モードを選択して、リスナーの位置あるいは楽器の位置や配列あるいは音響ホール等の天井、壁、音響板等の位置や数を任意に調整する。もちろん、無の状態から音源まわりの環境を設定しても良い。これらの調整や設定を受けて、演算処理装置７は、メモリ１０に格納してある音源まわりの環境の音響特性を参照し、ホール中の音源１を構成する各チャネルからリスナーまでの距離や、天井、壁、音響板等の環境によるリスナーまでの音の反射径路の距離等を算出して、チャネル毎に音の大きさ、種々の反射径路による残響時間、その残響音の大きさ等を決定し、ＤＳＰ３に対するパラメータを求めて制御信号を作成し、ＤＳＰ３へ送出する。ここで、ユーザーの操作により、演算処理装置７を介して音源再生装置２がスタートされると、例えばマルチチャネルのＣＤ等の音源１から記録音が再生され、チャンネル別にＤＳＰ３へ再生音が入力される。ＤＳＰ３は、上記制御信号に従って各チャネル音信号に残響音等をミキシングして調整を行い、ミキシング装置４へ送出する。ミキシング装置４は、マルチチャネル信号をヘッドホン６の左右の２チャンネル等に変換する。
　このように、本実施例では、ユーザーが仮想的に設定したリスナー位置や音場情報に基づいて、あたかもその音場の中のリスニングポジションで音源の再生音を聞くことができる。そのリスナー位置や音場情報の設定において、ユーザーは画面上の操作によりその設定を任意に行うことができ、わかりやすいユーザーインターフェイスで行うことができる。
　なお、上記実施例におけるヘッドホン６は、２つ以上のスピーカに置き換えても良い。この場合、必要によりスピーカの置かれる環境を考慮し、ミキシング装置４等において、チャネル数変換とともにリスナーの耳に到達する音がヘッドホンと等価になるように逆変換を行うのが好適である。また、音源１としては、シンセサイザ等であっても良い。その場合には、ユーザーによる画面上の操作で各チャネル毎に音色等を指定することも可能である。このように、本発明はその主旨に沿って種々に応用され、種々の実施態様を取り得るものである。
　［発明の効果］
　以上の説明で明らかなように、本発明の音源情報制御装置によれば、ユーザーは、画面上での操作というわかりやすいユーザーインターフェイスにより、簡単に音作りや音場作りを楽しむことができる。
【図面の簡単な説明】
　第１図は本発明の一実施例を示すブロック図、第２図は上記実施例のディスプレイ装置の表示画面の構成例を示す図である。
　１…音源、２…音源再生装置、３…デジタルシグナルプロセッサ（ＤＳＰ）、７…演算処理装置、８…ディスプレイ装置、９…ポインティングデバイス、１０…メモリ。